(57)【要約】【課題】文字板の変更を、低コストにて容易に対応することが可能な時計ムーブメント、および、それを搭載した時計を提供する。【解決手段】第１文字板固定用凸部を有する第１文字板と、第１文字板固定用凸部を嵌合可能な第１案内用凹部１２５ｃおよび該第１案内用凹部１２５ｃに嵌合した第１文字板固定用凸部を固定する第１固定手段１２５ｂを備えた第１固定部１２５０を有する第１地板１２５と、第２文字板固定用凸部１１ａを有し、前記第１文字板とは仕様が異なる第２文字板１１と、第２文字板固定用凸部１１ａを嵌合可能な第２案内用凹部１２６ｃ、および、該第２案内用凹部１２６ｃに嵌合した第２文字板固定用凸部１１ａを固定する第２固定手段１２６ｂを備えた第２固定部１２６０を有するとともに、第１文字板固定用凸部と同じ仕様の第２地板固定用凸部１２６ａを備えた第２地板１２６と、を備えたことを特徴とする時計ムーブメント１００。【選択図】図２
2017040525.tif 000002
【特許請求の範囲】
【請求項１】
第１文字板固定用凸部を有する第１文字板と、
前記第１文字板固定用凸部を嵌合可能な第１案内用凹部および該第１案内用凹部に嵌合した前記第１文字板固定用凸部を固定する第１固定手段を備えた第１固定部を有する第１地板と、
第２文字板固定用凸部を有し、前記第１文字板とは仕様が異なる第２文字板と、
前記第２文字板固定用凸部を嵌合可能な第２案内用凹部、および、該第２案内用凹部に嵌合した前記第２文字板固定用凸部を固定する第２固定手段を備えた第２固定部を有するとともに、前記第１文字板固定用凸部と同じ仕様の第２地板固定用凸部を備えた第２地板と、
を備えたことを特徴とする時計ムーブメント。
【請求項２】
請求項１に記載の時計ムーブメントにおいて、
前記第１固定手段および前記第２固定手段の少なくとも一方は、軸部および該軸部の一端部に連結される頭部を備え、前記頭部の中心位置から径方向に所定寸法離れた偏心位置に前記軸部が連結され、前記軸部が前記第１地板に回動可能に保持された偏心ピンを具備し、前記偏心ピンは、回動させた前記頭部により前記第１案内用凹部または前記第２案内用凹部に嵌合した状態の前記第１文字板固定用凸部または前記第２地板固定用凸部を押圧して前記第１文字板または前記第２地板を前記第１地板または前記第２地板に固定することを特徴とする時計ムーブメント。
【請求項３】
請求項１または２に記載の時計ムーブメントにおいて、
前記第２文字板が固定された前記第２地板が、前記第１地板に対して前記第２文字板とは反対側に配置されることを特徴とする時計ムーブメント。
【請求項４】
請求項１〜３のいずれか一項に記載の時計ムーブメントを搭載した時計。
【発明の詳細な説明】
【技術分野】
【０００１】
本発明は、時計ムーブメント、および当該時計ムーブメントを備えた時計に関する。
【背景技術】
【０００２】
従来、例えば、特許文献１に記載されているように、地板と、地板の外周に嵌合される文字板受けリングと、文字板受けリング上に配置される文字板と、地板と文字板との間に配置される日車と、を有する時計ムーブメントを備えた時計が知られていた。
【先行技術文献】
【特許文献】
【０００３】
【特許文献１】実開昭６１−６７８３号公報
【発明の概要】
【発明が解決しようとする課題】
【０００４】
しかしながら、特許文献１に記載の時計では、１つの時計ムーブメントにて１つの外装形態の時計が構成されているので、例えば、文字板や日車などの寸法や表示等の仕様変更をする必要が生じた場合に、地板や文字板受けリングなどの時計ムーブメントの複数の基本部品を仕様変更する必要がある。このため、文字板や日車などの仕様変更に際して工数が増大したり、それにともなってコストが高くなったりする虞があるという課題があった。
【課題を解決するための手段】
【０００５】
本発明は、上述の課題の少なくとも一部を解決するためになされたものであり、以下の形態または適用例として実現することが可能である。
【０００６】
［適用例１］  本適用例にかかる時計ムーブメントは、第１文字板固定用凸部を有する第１文字板と、前記第１文字板固定用凸部を嵌合可能な第１案内用凹部および該第１案内用凹部に嵌合した前記第１文字板固定用凸部を固定する第１固定手段を備えた第１固定部を有する第１地板と、第２文字板固定用凸部を有し、前記第１文字板とは仕様が異なる第２文字板と、前記第２文字板固定用凸部を嵌合可能な第２案内用凹部、および、該第２案内用凹部に嵌合した前記第２文字板固定用凸部を固定する第２固定手段を備えた第２固定部を有するとともに、前記第１文字板固定用凸部と同じ仕様の第２地板固定用凸部を備えた第２地板と、を備えたことを特徴とする。
【０００７】
本適用例によれば、第２文字板を固定する第２固定部を有するとともに、第１文字板固定用凸部と同じ仕様の第２地板固定用凸部を備えた第２地板を有しているので、第１地板に第１文字板を固定する第１固定部を用いて、第１地板に第２地板を固定することができる。これにより、第１文字板から第２文字板に仕様変更する際に、第１地板と第２文字板との間に第２地板を介在させることにより、第１地板をそのまま用いて、第２文字板を備えた時計ムーブメントを構成することができる。
したがって、変更する部品点数を最小限に抑え、低コストにて、第１文字板から第２文字板への仕様変更に対応することが可能な時計ムーブメントを提供することができる。
【０００８】
［適用例２］  上記適用例にかかる時計ムーブメントにおいて、前記第１固定手段および前記第２固定手段の少なくとも一方は、軸部および該軸部の一端部に連結される頭部を備え、前記頭部の中心位置から径方向に所定寸法離れた偏心位置に前記軸部が連結され、前記軸部が前記第１地板に回動可能に保持された偏心ピンを具備し、前記偏心ピンは、回動させた前記頭部により前記第１案内用凹部または前記第２案内用凹部に嵌合した状態の前記第１文字板固定用凸部または前記第２地板固定用凸部を押圧して前記第１文字板または前記第２地板を前記第１地板または前記第２地板に固定することが好ましい。
【０００９】
従来、第２地板（文字板リングと呼ぶこともある）を介して第１地板に文字板を搭載する場合には、第２地板（文字板リング）側に固定手段としてのネジ穴を設け、そのネジ穴を用いて第１地板と文字板リング（第２地板）とを固定する方法が用いられていた。
本適用例によれば、第１地板および第２地板の少なくとも一方に固定手段としての偏心ピンを設け、この偏心ピンの頭部により第１文字板または第２地板を第１地板に、また、第２文字板を第２地板に固定するので、ネジ穴を形成するために第１地板および第２地板の少なくとも一方は金属製にする必要がない。特に、第１文字板から第２文字板に仕様変更する場合に、第１地板と第２文字板との間に介在させる第２地板を金属製にする必要がない。したがって、第２地板に用いる材料の選択肢を広くして、低コストにて第２地板を形成し、時計ムーブメントの仕様変更に対応することができる。
【００１０】
［適用例３］  上記適用例にかかる時計ムーブメントにおいて、前記第２文字板が固定された前記第２地板が、前記第１地板に対して前記第２文字板とは反対側に配置されることを特徴とする。
【００１１】
本適用例によれば、第１地板と第２文字板との間に第２地板を配置する構成に比して、時計ムーブメントの薄型化を図ることができる。
【００１２】
［適用例４］  上記適用例にかかる時計ムーブメントを備えた時計。
【００１３】
本適用例によれば、上記適用例に記載の時計ムーブメントを備えているので、第１文字板から第２文字板への仕様変更に対して、ベース部品である第１地板はそのまま用いて、部品変更点数を抑えながら低コストにて対応することが可能な時計を提供することができる。
【図面の簡単な説明】
【００１４】
【図１】実施形態１に係る時計の外観を示す正面図。
【図２】実施形態１に係る時計の概略構成を示す模式断面図。
【図３】第１地板の外観を示す斜視図。
【図４】第２地板の外観を示す斜視図。
【図５】第１地板の第１固定部の周辺を図２における裏蓋側からみて示す拡大斜視図。
【図６】第１地板に第２地板を嵌めあわせた状態を第２地板側からみて示す斜視図。
【図７】第１地板に第２地板を嵌めあわせた状態を第１地板側からみて示す斜視図。
【図８】日車の外観を示す斜視図。
【図９】曜車の外観を示す斜視図。
【図１０】第２文字板の外観を示す斜視図。
【図１１】第２地板の第２固定部の周辺を図２における裏蓋側からみて示す拡大斜視図。
【図１２】第１地板に第２地板を嵌め合わせた上に、日車、曜車を取り付け、さらに第２文字板を取り付けた状態を示す斜視図。
【図１３】実施形態２に係る時計ムーブメントの概略構成を示す部分断面図。
【図１４】第１文字板の外観を示す斜視図。
【発明を実施するための形態】
【００１５】
以下、本発明の実施形態について、図面を参照して説明する。なお、以下の各図においては、各層や各部材を認識可能な程度の大きさにするため、各層や各部材について実際とは異なる尺度で示している場合がある。また、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００１６】
（実施形態１）
＜Ａ：時計の概要＞
図１乃至図１２を参照しつつ本発明の実施形態１について説明する。まず、時計の概略構成について説明する。図１は、本発明の実施形態１に係る時計の外観を示す正面図であり、図２は、時計の概略構成を示す模式断面図である。
図１に示すように、時計１０は、外装ケース３０と、カバーガラス３３と、裏蓋３４とを備えている。外装ケース３０は、金属で形成された円筒状のケースであり、この外装ケースの内周側に、円盤状の文字板である第２文字板１１が時刻表示部分として配置されている。
【００１７】
第２文字板１１には、指針２１，２２，２３が備えられている。また、第２文字板１１には、中心より、３時方向に日表示部１５１および曜表示部１５２を備えた矩形のカレンダー小窓１５が設けられている。第２文字板１１及びカレンダー小窓１５は、カバーガラス３３を透かして、視認可能となっている。
【００１８】
外装ケース３０の側面には、第２文字板１１の中心より３時方向の位置にリュウズ５０が設けられている。このリュウズ５０が操作されることにより、操作に応じた針表示修正や日表示および曜表示修正などがおこなえるようになっている。
【００１９】
図２に示すように、時計１０は、金属製の外装ケース３０の２つの開口のうち、表面側の開口はカバーガラス３３で塞がれており、裏面側の開口は金属で形成された裏蓋３４で塞がれている。
外装ケース３０の内側には、第２文字板１１と、第２文字板１１を貫通した指針軸２５と、指針軸２５を中心に周回する指針２１，２２，２３と、図示を省略した指針２１，２２，２３を駆動する駆動機構などとが備えられている。
指針軸２５は、外装ケース３０の平面視中心を通り、表裏方向に延在する中心軸に沿って設けられている。
【００２０】
第２文字板１１は、外装ケース３０の内側で時刻を表示する円形の板材であり、プラスチックや金属などの材料で形成され、カバーガラス３３との間に指針２１，２２，２３などを備えている。
【００２１】
第２文字板１１は、第２地板１２６を介して第１地板１２５に支持されている。具体的には、第１地板１２５は、第１案内用凹部１２５ｃおよび第１固定手段としての第１偏心ピン１２５ｂを有する第１固定部１２５０を備え、第１案内用凹部１２５ｃに第２地板１２６の第２地板固定用凸部１２６ａが挿通され、その第２地板固定用凸部１２６ａを第１偏心ピン１２５ｂによって固定することにより、第１地板１２５に第２地板１２６が位置決め・固定されている。また、第１地板１２５に位置決め・固定された第２地板１２６は、第２案内用凹部１２６ｃおよび第２固定手段としての第２偏心ピン１２６ｂを有する第２固定部１２６０を備え、その第２案内用凹部１２６ｃに第２文字板１１の第２文字板固定用凸部１１ａが挿通され、その第２文字板固定用凸部１１ａを第２偏心ピン１２６ｂにより固定することにより、第２文字板１１が第２地板１２６に位置決め・固定されている。なお、第１偏心ピン１２５ｂおよび第２偏心ピン１２６ｂによる第１地板１２５、第２地板１２６、および第２文字板１１の支持・固定構造の詳細については後述する。また、第２文字板１１には、指針軸２５と、日表示をおこなう日車５１および曜表示をおこなう曜車５２の軸部（図示せず）とが貫通する孔が形成されているとともに、カレンダー小窓１５の開口部が形成されている。
【００２２】
駆動機構（不図示）は、第１地板１２５に取り付けられている。駆動機構は、ぜんまい、または、ステップモーターなどの駆動源と歯車などの輪列とを有し、当該駆動源が当該輪列を介して指針軸２５を回転させることにより、指針２１，２２，２３が駆動する。
【００２３】
第２地板１２６は、プラスチックで形成されており、第１地板１２５に取り付けられ、第２文字板１１を支持する支持部材である（即ち、第２文字板１１は、第２地板１２６を介して第１地板１２５に支持される）。第２地板１２６は、第１地板１２５の外周から外装ケース３０の内周の間に配置され、本実施形態では、第１地板１２５の上（第２文字板１１側）に第２地板１２６が支持されている。
なお、第２地板１２６は、少なくとも第１地板１２５に取り付けられて、且つ、第２文字板１１を支持するようになっていればよく、上記の構造に限らない。
以上、説明した構成の時計１０において、外装ケース３０、カバーガラス３３、及び裏蓋３４などの外装部品を除いた構成は、時計ムーブメント１００と呼ばれる。
【００２４】
＜Ｂ：第２地板の位置決め・固定＞
次に、時計１０（時計ムーブメント１００）において、第１地板１２５に対して第２地板１２６を位置決め・固定する構成について説明する。図３は第１地板１２５の外観を示す斜視図、図４は第２地板１２６の外観を示す斜視図である。図５は第１地板１２５の第１固定部１２５０の周辺を図２における裏蓋３４側からみて示す拡大斜視図である。また、図６は第１地板１２５に第２地板１２６を嵌めあわせた状態を第２地板１２６側からみて示す斜視図であり、図７は第１地板１２５に第２地板１２６を嵌めあわせた状態を第１地板１２５側からみて示す斜視図である。
【００２５】
図３に示すように、第１地板１２５には、第２地板１２６を位置決め・固定するための第１固定部１２５０が設けられている。本実施形態では、第１地板１２５の第１固定部１２５０は、第２地板１２６を位置決め・案内するための第１案内用凹部１２５ｃ及び第２地板１２６を位置決め・固定するための第１偏心ピン１２５ｂの組みが、時計１０の第２文字板１１側からみた平面視において略円形の第１地板１２５の周縁に対向する２箇所の領域に形成されている。第１固定部１２５０の第１案内用凹部１２５ｃには、後述する第２地板１２６の第２地板固定用凸部１２６ａ（図４を参照）が挿入されて、第１地板１２５に第２地板１２６が位置決め・案内され、第１偏心ピン１２５ｂがその固定を行う。詳しくは後述する。
なお、詳細は後述するが、第１固定部１２５０は、第２文字板１１とは異なる仕様の第１文字板１１１（図１４を参照）を位置決め・固定する固定部としても機能する。即ち、図１４に示す第１文字板１１１は、時計１０（時計ムーブメント１００）において、第２地板１２６を介さずに、第１地板１２５に直接位置決め・固定することが可能な文字板であり、本実施形態の時計１０（時計ムーブメント１００）は、第１文字板１１１から第２文字板１１に仕様変更するときに、第２地板１２６を介在させることによって仕様変更対応した形態を示している。
【００２６】
図４に示すように、第２地板１２６には、第２地板１２６を第１地板１２５に位置決め・固定するのに供する第２地板固定用凸部１２６ａが設けられている。上述したように、第２地板固定用凸部１２６ａは、第１地板１２５の第１固定部１２５０の第１案内用凹部１２５ｃに挿入されるものであり、その位置と対応する位置に形成されている。即ち、本実施形態における第２地板固定用凸部１２６ａは、時計１０の第２文字板１１側からみた平面視において略円形の第２地板１２６の周縁に対向する２箇所の領域に設けられている。
また、第２地板１２６には、第２文字板１１を位置決め・固定するための第２固定部１２６０が設けられている。本実施形態では、第２地板１２６の第２固定部１２６０は、第２文字板１１を位置決め・案内するための第２案内用凹部１２６ｃ及び第２文字板１１を位置決め・固定するための第２偏心ピン１２６ｂの組みが、時計１０の第２文字板１１側からみた平面視において略円形の第２地板１２６の周縁に対向する２箇所の領域に形成されている。第２固定部１２６０の第２案内用凹部１２６ｃには、後述する第２文字板１１の第２文字板固定用凸部１１ａ（図１０を参照）が挿入されて、第２地板１２６に第２文字板１１が位置決め・案内され、第２偏心ピン１２６ｂがその固定を行う。詳しくは後述する。
【００２７】
次に、第１地板１２５の第１固定部１２５０による、第１地板１２５への第２地板１２６の位置決め・固定構造の詳細について、図５〜図７を参照して説明する。図５は、上述したように、第１地板１２５の第１固定部１２５０の周辺を図２における裏蓋３４側からみて示す拡大斜視図であり、第１地板１２５の第２地板１２６搭載面とは反対側の面からみて示している。図５において、第１地板１２５の第１固定部１２５０は、第１案内用凹部１２５ｃと、第１偏心ピン１２５ｂとを有している。第１案内用凹部１２５ｃは、本実施形態では、第２地板１２６搭載面（図中に見えている面とは反対側の面）から反対側の面に貫通する貫通孔になっている。
【００２８】
第１固定手段としての第１偏心ピン１２５ｂは、略円盤状の頭部１２５ｂ１と、この頭部１２５ｂ１の円盤中心から所定の偏心量だけずれた連結位置に連結された軸部１２５ｂ２と、第１地板１２５の第１案内用凹部１２５ｃの近傍に形成され軸部１２５ｂ２が回動可能に保持される偏心ピン挿通孔（不図示）とを有している（図２を参照）。頭部１２５ｂ１の上面側（軸部１２５ｂ２が連結される面とは反対側の面）には、例えばドライバーなどが差し込み可能な操作凹部が設けられており、この操作凹部にドライバーを差し込んだ状態で回動させることで、第１偏心ピン１２５ｂを所定方向に回動させることが可能になっている。なお、図５において、操作凹部としてマイナスドライバーにより操作可能なマイナス型の凹部を例示しているが、例えばプラスドライバーに対応したプラス型の凹部や、その他の専用の操作治具により操作可能な形状の凹部を操作凹部として構成されていてもよい。
【００２９】
第１地板１２５に第２地板１２６を位置決め・固定する際には、第１地板１２５の第１案内用凹部１２５ｃに第２地板１２６の第２地板固定用凸部１２６ａを挿通して（図２を参照）第２地板１２６を位置決めしてから、第１偏心ピン１２５ｂを所定方向に回動させる。これにより、第２地板固定用凸部１２６ａが第１偏心ピン１２５ｂの頭部１２５ｂ１の周面によって上記した偏心ピン挿通孔の内壁に押圧されて、第２地板１２６が固定される。このような構成において、第１偏心ピン１２５ｂの頭部１２５ｂ１は、例えばステンレス、チタンなど、第２地板固定用凸部１２６ａの形成材料よりも剛性の大きい素材を選択することが好ましい。
以上、述べた固定構造により、図６および図７に示すように、第１地板１２５に第２地板１２６が位置決め・固定される。
【００３０】
図８は、日車５１の外観を示す斜視図、図９は、曜車５２の外観を示す斜視図、図１０は、第２文字板１１の外観を示す斜視図である。また、図１２は、第１地板１２５に第２地板１２６を嵌め合わせ上に、日車５１、曜車５２を取り付けた上に、さらに第２文字板１１を取り付けた状態を示す斜視図である。
図８において、日車５１は、円板の中央に開口部を有する環状を呈し、その外周側に日付表示がなされた表示領域５１ａが形成され、内周側に外周側よりも低い棚部５１ｂが形成されている。また、日車５１の内周には、３１枚の歯部５１ｃが等間隔に並べられた歯車が形成されている。
図９に示す曜車５２は、円板状の部品であり、外周側の表示領域５２ａの円周上に７つの曜日が日本語および英語の二か国語表記で示された合計１４の曜表示が等間隔になされている（不図示）。これら二か国語表記の曜表示は、ユーザーにより、例えばリュウズ５０を操作することによって所望の言語の曜表示がなされるように選択可能になっている。曜車５２の中央の領域５２ｂには、合計１４の曜表示をするのに供する１４枚の歯部が等間隔に並んだ歯車（不図示）が形成されている。
曜車５２は、時計ムーブメント１００（図２を参照）を第２文字板１１側からみた平面視において、図８の日車５１の棚部５１ｂと重なるように配置される。
【００３１】
＜Ｃ：第２文字板の位置決め・固定＞
次に、時計１０において、第２地板１２６に対して第２文字板１１を位置決め・固定する構成、および、それにより時計ムーブメント１００を形成する構成について、図１０〜図１２に沿って説明する。図１０は、第２文字板１１の外観を示す斜視図、図１１は、第２地板１２６の第２固定部１２６０の周辺を図２における裏蓋側からみて示す拡大斜視図で、図１２は、第１地板１２５に第２地板１２６を嵌め合わせた上に、日車５１、曜車５２を取り付け、さらに第２文字板１１を取り付けた状態を示す斜視図である。
【００３２】
図１０に示すように、円盤状の第２文字板１１は、金属やプラスチック等の材料で形成されており、中央部に設けられた指針２１，２２，２３（図２を参照）の軸孔と、第２文字板１１の中心より３時方向に配置された略矩形のカレンダー小窓１５とが設けられている。また、図示は省略するが、第２文字板１１の周縁部側には、時刻表示用の目盛、数字、文字などの植字が施されている。
【００３３】
また、第２文字板１１の植字が施された面とは反対側の面の周縁寄りの領域には、第２文字板１１を第２地板１２６に位置決め・固定するのに供する第２文字板固定用凸部１１ａが形成されている。本実施形態では、平面視において円盤状の第２文字板１１の周縁に対向する２箇所の領域に第２文字板固定用凸部１１ａが形成されている。この第２文字板固定用凸部１１ａは、第２地板１２６の第２案内用凹部１２６ｃに挿入されるものであり、それと対応する位置に設けられている。
【００３４】
次に、第２地板１２６の第２固定部１２６０による、第２地板１２６への第２文字板１１の位置決め・固定構造の詳細について説明する。図１１において、第２地板１２６の第２固定手段としての第２偏心ピン１２６ｂは、略円盤状の頭部１２６ｂ１と、この頭部１２６ｂ１の円盤中心から所定の偏心量だけずれた連結位置に連結された軸部１２６ｂ２と、第２地板１２６の第２案内用凹部１２６ｃの近傍に形成され軸部１２６ｂ２が回動可能に保持される偏心ピン挿通孔（不図示）とを有している（図２を参照）。そして、偏心ピン挿通孔に軸部１２６ｂ２が挿入されて回動可能に保持された第２偏心ピン１２６ｂの、頭部１２６ｂ１の上面側に設けられた操作凹部にドライバーを差し込んだ状態で回動させることで、第２偏心ピン１２６ｂを所定方向に回動させることが可能になっている。
【００３５】
第２地板１２６に第２文字板１１を位置決め・固定する際には、第２地板１２６の第２案内用凹部１２６ｃに第２文字板１１の第２文字板固定用凸部１１ａを挿通して（図２を参照）第２文字板１１を位置決めしてから、第２偏心ピン１２６ｂを所定方向に回動させる。これにより、第２文字板固定用凸部１１ａが第２偏心ピン１２６ｂの頭部１２６ｂ１の周面によって上記した偏心ピン挿通孔の内壁に押圧されて、第２文字板１１が固定される。
以上、述べた固定構造により、図１２に示すように、第１地板１２５に位置決め・固定された第２地板１２６上に、第２文字板１１が位置決め・固定される。ここで、第１地板１２５に位置決め・固定された第２地板１２６と、第２文字板１１との間には、上述した日車５１（図８を参照）および曜車５２（図９を参照）などが組み込まれ、本実施形態の時計１０の時計ムーブメント１００が構成される。
【００３６】
以上述べたように、本実施形態に係る時計ムーブメント１００、および、それを備えた時計１０によれば、以下の効果を得ることができる。
本実施形態の時計ムーブメント１００は、第２文字板１１の第２文字板固定用凸部１１ａを嵌合可能な第２案内用凹部１２６ｃ、および、該第２案内用凹部１２６ｃに嵌合した第２文字板固定用凸部１１ａを固定する第２固定手段としての第２偏心ピン１２６ｂを備えた第２固定部１２６０を有するとともに、第２文字板とは仕様の異なる第１文字板１１１の第１文字板固定用凸部１１１ａと同じ仕様の第２地板固定用凸部１２６ａを備えた第２地板１２６を有している。そして、第１地板１２５の第１固定部１２５０は、第２地板１２６の第２地板固定用凸部１２６ａと、第１文字板１１１の第１文字板固定用凸部１１１ａとの両方とも嵌合可能な第１案内用凹部１２５ｃ、および、該第１案内用凹部１２５ｃに嵌合した第２地板固定用凸部１２６ａまたは第１文字板固定用凸部１１１ａを固定する第１固定手段としての第１偏心ピンを備える構成とした。
【００３７】
この構成によれば、第２文字板１１を固定する第２固定部１２６０を有するとともに、第１文字板１１１の第１文字板固定用凸部１１１ａと同じ仕様の第２地板固定用凸部１２６ａを備えた第２地板１２６を有しているので、第１地板１２５に第１文字板１１１を固定する第１固定部１２５０によって、第１地板１２５に第２地板１２６を固定することができる。これにより、第１文字板１１１から第２文字板１１に仕様変更する際に、第１地板１２５と第２文字板１１との間に第２地板１２６を介することにより、第１地板１２５をそのまま用いて、第２文字板１１を備えた時計ムーブメント１００を構成することができる。
したがって、時計ムーブメント１００の主要部品である第１地板１２５をそのまま用いて、変更する部品点数を最小限に抑えながら、第１文字板１１１から第２文字板１１に仕様変更することが可能な時計ムーブメント１００、および、それを備えた時計１０を提供することができる。
【００３８】
また、本実施形態にかかる時計ムーブメント１００において、第１地板１２５の第１固定部１２５０における第１固定手段として、軸部１２５ｂ２および該軸部１２５ｂ２の一端部に連結される頭部１２５ｂ１を備え、頭部１２５ｂ１の中心位置から径方向に所定寸法離れた偏心位置に軸部１２５ｂ２が連結され、その軸部１２５ｂ２が第１地板１２５に回動可能に保持された第１偏心ピン１２５ｂを具備し、第１偏心ピン１２５ｂは、回動させた頭部１２５ｂ１により第１案内用凹部１２５ｃに嵌合した状態の第１文字板固定用凸部１１１ａまたは第２地板固定用凸部１２６ａを押圧して第１文字板１１１または第２地板１２６を第１地板１２５に固定する構成とした。
同様に、第２地板１２６の第２固定部１２６０における第２固定手段としても、第２地板１２６に回動可能に保持された第２偏心ピン１２６ｂを具備し、第２偏心ピン１２６ｂは、回動させた頭部１２６ｂ１により第２案内用凹部１２６ｃに嵌合した状態の第２文字板固定用凸部１１ａを押圧して第２文字板１１を第２地板１２６に固定する構成とした。
【００３９】
従来、第２地板１２６（文字板リングということもある）を介して第１地板１２５に文字板（第２文字板１１）を搭載する構成としては、第２地板１２６側に固定手段としてのネジ穴および留めネジを配置して、そのネジ穴および留めネジを用いて第２地板１２６に第２文字板１１を固定する方法が用いられる。
本実施形態の構成例によれば、第１地板１２５および第２地板１２６にネジ穴を形成する従来の構成のように、第１地板１２５および第２地板１２６を金属製にする必要がなく、使用する材料の選択肢を広くして、低コストにて第１地板１２５および第２地板１２６（少なくとも第２地板１２６）を形成することができる。
【００４０】
また、本実施形態の時計１０は、上述した構成の時計ムーブメント１００を搭載しているので、第１文字板１１１から第２文字板１１への設計変更（仕様変更）を、部品変更点数を抑えながら低コストにて実現することが可能な時計１０を提供することができる。
【００４１】
（実施形態２）
図１３は、実施形態２に係る時計ムーブメント１００´の概略構成を示す部分断面図である。以下、実施形態２に係る時計ムーブメント１００´について、図１３を参照して説明する。なお、実施形態１と同一の構成部位については、同一の番号を使用し、重複する説明は省略する。
【００４２】
図１３は、本実施形態の時計ムーブメント１００´の特徴である、第１地板１２５´と第２地板１２６´との位置決め・固定される配置についてのみ図示し、他の構成については図示を省略している。図１３に示す時計ムーブメント１００´において、第２地板１２６´は、第１地板１２５´の下面側から嵌め合わせて位置決め・固定されている。即ち、第１地板１２５´において、第２文字板１１が配置される側の面とは反対側の面に第２地板１２６´が配置されている。
【００４３】
第１地板１２５´において、第２地板１２６´、および、図１４に示す第１文字板１１１の位置決め・固定を行う第１固定部１２５０´は、第１地板１２５´の上面側から下面側に貫通する第１案内用凹部１２５ｃ´と、その第１案内用凹部１２５ｃ´の上記上面側の開口部近傍と、上記下面側の開口部近傍とに設けられた二つの第１固定手段としての第１偏心ピン１２５ｂ１´とを備えている。第２地板１２６´に設けられた第２地板固定用凸部１２６ａは、第１案内用凹部１２５ｃ´の上記下面側の開口部から挿入されて、上記上面側の第１偏心ピン１２５ｂ´が第２地板固定用凸部１２６ａの固定を行う。
【００４４】
また、第１固定部１２５０´は、上記実施形態１の第１地板１２５における第１固定部１２５０（図２他を参照）と同様に、図１４に示す第１文字板１１１の位置決め・固定を固定する固定部としても機能する。本実施形態の第１地板１２５´に第１文字板１１１を位置決め・固定する場合には、第２地板１２６´は用いずに、第１文字板１１１の第１文字板固定用凸部１１１ａ（図１４を参照）が第１案内用凹部１２５ｃ´の上記上面側の開口部から挿入されて、上記下面側の第１偏心ピン１２５ｂ´が第１文字板固定用凸部１１１ａの固定を行う。
また、第１地板１２５´の上記上面側の中央部は、上記実施形態１で説明した日車５１や曜車５２などを配置するなどの必要に応じて凹部が形成されている。
【００４５】
第２地板１２６´には、第２文字板１１を位置決め・固定するための第２固定部１２６０´が設けられている。第２固定部１２６０´は、上記実施形態１の第２地板１２６における第２固定部１２６０（図２他を参照）と同様の構成を有している。即ち、第２固定部１２６０´は、第２文字板１１を位置決め・案内するための第２案内用凹部１２６ｃ及び第２文字板１１を位置決め・固定するための第２偏心ピン１２６ｂ´を備えている。そして、第２固定部１２６０´の第２案内用凹部１２６ｃ´には、上述した第２文字板１１の第２文字板固定用凸部１１ａ（図１０を参照）が挿入されて、第２地板１２６´に第２文字板１１が位置決め・案内され、第２偏心ピン１２６ｂ´がその固定を行う。
【００４６】
以上述べたように、本実施形態に係る時計ムーブメント１００´によれば、上記実施形態１での効果に加えて、以下の効果を得ることができる。
即ち、本実施形態の時計ムーブメント１００´は、第１地板１２５´と第２文字板１１とを嵌合するために介在させる第２地板１２６´が、第１地板１２５´に対して第２文字板１１とは反対側に配置される構成とした。これにより、上記実施形態１のように、第１地板１２５と第２文字板１１との間に第２地板１２６を配置する構成に比して、時計ムーブメント１００´の薄型化を図ることができる。
【００４７】
以上、発明者によってなされた本発明の実施の形態について具体的に説明したが、本発明は上記した実施の形態に限定されるものではなく、その要旨を逸脱しない範囲で種々の変更を加えることが可能である。
【００４８】
例えば、上述した実施形態においては、第１地板１２５，１２５´の第１固定部１２５０，１２５０´の第１固定手段、および、第２地板１２６，１２６´の第２固定部１２６０，１２６０´の第２固定手段として、第１偏心ピン１２５ｂ，１２５ｂ´、および、第２偏心ピン１２６ｂ、１２６ｂ´を適用する例を説明したが、これに限らない。例えば、ネジ止めなどの他の固定手段を第１固定手段および第２固定手段として用いる構成としてもよい。
【００４９】
また、上述した実施形態においては、所謂機械式時計である時計１０について説明したが、これに限らない。例えば、クウォーツ時計、各種電波時計、ソーラー時計などの電子時計など、時計ムーブメントを備えた時計に対して、本発明を適用することが可能である。
【符号の説明】
【００５０】
１０…時計、１１…第２文字板、１１ａ…第２文字板固定用凸部、１５…カレンダー小窓、２１，２２，２３…指針、２５…指針軸、３０…外装ケース、３３…カバーガラス、３４…裏蓋、５０…リュウズ、５１…日車、５１ａ…棚部、５１ｃ…歯部、５２…曜車、５２ａ…表示領域、５２ｂ…曜車の中央の領域、１００…時計ムーブメント、１１１…第１文字板、１１１ａ…第１文字板固定用凸部、１２５…第１地板、１２５ｂ２…軸部、１２５ｂ１…頭部、１２５ｂ…第１固定手段としての第１偏心ピン、１２５ｃ…第１案内用凹部、１２６…第２地板、１２６ａ…第２地板固定用凸部、１２６ｂ１…頭部、１２６ｂ…第２固定手段としての第２偏心ピン、１２６ｂ２…軸部、１２６ｃ…第２案内用凹部、１５１…日表示部、１５２…曜表示部、１２５０…第１固定部、１２６０…第２固定部。
【図１】
2017040525.tif 000003
【図２】
2017040525.tif 000004
【図３】
2017040525.tif 000005
【図４】
2017040525.tif 000006
【図５】
2017040525.tif 000007
【図６】
2017040525.tif 000008
【図７】
2017040525.tif 000009
【図８】
2017040525.tif 000010
【図９】
2017040525.tif 000011
【図１０】
2017040525.tif 000012
【図１１】
2017040525.tif 000013
【図１２】
2017040525.tif 000014
【図１３】
2017040525.tif 000015
【図１４】
2017040525.tif 000016